(57)【要約】      （修正有）【課題】収納サイズが可変であり、使いやすい、伸縮式カップホルダーを提供する。【解決手段】内部に異なる高さに位置する複数のガイド溝が設けられ、上部に載置面があるベース１１と、前記ベース内に位置する歯車セットと、互いに連結する摺動部材１３１及び包囲部材１３２をそれぞれ有し、前記摺動部材が対応の前記ガイド溝内に移動可能に位置し、複数の前記包囲部材が前記ベースの周囲を包囲して立設され、前記ベース内に位置する複数の前記摺動部材が前記歯車セットに噛み合う、少なくとも３つの包囲アーム１３と、一部が前記ベース内に制限される制動部材と、を備え、前記包囲アームの中の１つの包囲アームが移動すると、残りの包囲アームは同時に移動し、また、前記制動部材が移動して複数の前記摺動部材の中の１つの摺動部材に接触すると、同制動部材の移動が制限され、複数の包囲部材が囲んでなる領域を固定する。【選択図】図２
0003233865.tif 000002
【実用新案登録請求の範囲】
【請求項１】
内部に異なる高さに位置する複数のガイド溝が設けられ、上部に載置面があるベースと、
前記ベース内の最底部領域に位置し、中央歯車及び少なくとも３つの外周歯車を有し、複数の前記外周歯車が前記中央歯車の周囲に噛み合い、各前記外周歯車から作動歯車が突出する歯車セットと、
互いに連結する摺動部材及び包囲部材をそれぞれ有し、前記摺動部材が対応の前記ガイド溝内に移動可能に位置し、複数の前記包囲部材が前記ベースの周囲を包囲して立設され、各前記摺動部材に溝があり、前記溝の垂直壁に作動ラックがあり、各前記外周歯車の位置が前記摺動部材に対応し、前記作動歯車が前記作動ラックに噛み合い、複数の前記摺動部材の中の１つの摺動部材の垂直外壁に位置決めラックがある、少なくとも３つの包囲アームと、
一部が前記ベース内に制限され、短距離移動が可能であり、突起山部を有する制動部材と、を備え、
前記少なくとも３つの包囲アームの中の１つの包囲アームが移動すると、残りの包囲アームは前記歯車セットの連動によって同時に移動し、
前記制動部材が押されると、前記突起山部が前記位置決めラックに噛み合う際に、複数の前記包囲アームは移動不可になる、
ことを特徴とする伸縮式カップホルダー。
【請求項２】
前記ベースは、台座と密封蓋とが合わせてなる中空枠体であり、内部に仕切り部材が更に設けられ、前記仕切り部材の上・下相対面にそれぞれ異なる方向の２つの前記ガイド溝が形成され、前記密封蓋の前記仕切り部材に相対する底部にも前記ガイド溝が形成され、前記台座の外壁の各前記ガイド溝に対応する位置に複数の切欠きが設けられ、
前記台座と前記仕切り部材と前記密封蓋が組み立てられた後、前記ガイド溝は外に連通したままで、複数の前記摺動部材は互いに干渉することなく異なる高さに位置する前記ガイド溝内で摺動する、
ことを特徴とする請求項１に記載の伸縮式カップホルダー。
【請求項３】
前記制動部材はネックを有し、前記台座は２つのガイド壁を更に有し、２つの前記ガイド壁の間の寸法は前記ネックより大きいであり、
前記台座、前記仕切り部材、及び前記密封蓋が組み立てられた後、前記ガイド壁が前記ネックの両側に位置することで、前記制動部材は２つの前記ガイド壁の間に短距離移動可能かつ離脱不可である、
ことを特徴とする請求項２に記載の伸縮式カップホルダー。
【請求項４】
前記外周歯車の数は、前記包囲アームの数と同一である、
ことを特徴とする請求項１に記載の伸縮式カップホルダー。
【請求項５】
前記ベースは、円筒状であり、前記包囲部材は、円弧状であり、複数の前記包囲部材は、前記ベースの周囲に点在する、
ことを特徴とする請求項１に記載の伸縮式カップホルダー。
【請求項６】
サポートスタンドに取付可能であり、
前記サポートスタンドは、カップホルダーユニットと、ベースユニットと、回転ユニットと、複数の拡張ユニットとを有し、
前記カップホルダーユニットは、前記ベースと、前記歯車セットと、前記少なくとも３つの包囲アームと、前記制動部材とからなる構造であり、前記ベースユニットの延在部材にピン連結され、使用の際に回動により異なる方向へ調整可能であり、
前記ベースユニットは、外壁に複数の貫通孔が周設され、
前記回転ユニットは、前記ベースユニットに取り付けられ、回動可能かつ離脱不可であり、
複数の前記拡張ユニットは、対応位置の前記貫通孔を介して前記ベースユニット内に取り付けられ、
前記回転ユニットは回動する際に前記拡張ユニットと連動し、複数の拡張ユニットは対応の前記貫通孔を介して外側へ突出する、
ことを特徴とする請求項１に記載の伸縮式カップホルダー。
【考案の詳細な説明】
【技術分野】
【０００１】
本考案は、カップホルダーの技術分野に関し、特に、調整により収納サイズが変更可能な伸縮式カップホルダーに関する。
【背景技術】
【０００２】
自動車は、どれも車内に運転者又は同乗者が缶飲料やカップを置くための少なくとも１セットのカップホルダーが設けられている。しかしながら、電子機器の利用頻度が高くなっていくことに伴い、車内の既存設備は使用するには古すぎることから、あるメーカーはカップホルダーに取り付けられるサポートスタンドを考案した。このサポートスタンドに挟持装置、外付けテーブルなどを更に増設することで、運転者又は同乗者には携帯電話の挟持や他の用途に用いられる。また、ある運転者は、長距離運転による無味の対策のため、ポップコーンバケットに大量のポップコーンを入れて車内で食べるようとしている。しかしながら、昨今の自動車はどれもこのような固定構造がないため、通常、ポップコーンバケットを助手席に置くものの、急ブレーキ又はカーブの曲がりが早すぎると転倒になってしまう。また、このバケット対応の専用サポートを考案したとしても、使用の頻度が低いうえに車内のスペースが多く無駄になってしまう。これに鑑み、考案者は解決の策を思案した。
【考案の概要】
【考案が解決しようとする課題】
【０００３】
本考案は、少なくとも３つの移動可能な包囲アームが囲んでなる収納領域により、選択可能な複数の収納サイズを提供するから、市販のカップや缶飲料、大容量マグカップ、ポップコーンバケットのいずれも載置可能であるうえに、異なる用途及びサイズの容器の載置に適用可能で使用者の様々なニーズに応える伸縮式カップホルダーを提供することを主な目的とする。
【課題を解決するための手段】
【０００４】
上記目的を達成するために、本考案の伸縮式カップホルダーは、ベースと、歯車セットと、少なくとも３つの包囲アームと、制動部材とを備える。前記ベースは、上部に載置面があり、内部に、異なる高さに位置するとともに外に連通する複数のガイド溝が設けられる。前記歯車セットは、前記ベース内の最底部領域に位置し、中央歯車及び少なくとも３つの外周歯車を有し、複数の前記外周歯車が前記中央歯車の周囲に噛み合い、各前記外周歯車から更に作動歯車が突出する。各前記包囲アームは、互いに連結する摺動部材及び包囲部材を有し、前記摺動部材が対応の前記ガイド溝内に移動可能に位置し、複数の前記包囲部材が前記ベースの周囲を包囲して立設され、各前記摺動部材に溝があり、前記溝の垂直壁に作動ラックがあり、各前記外周歯車の位置が前記摺動部材に対応し、前記作動歯車が前記作動ラックに噛み合い、複数の前記摺動部材の中の１つの摺動部材の垂直外壁に位置決めラックがある。前記少なくとも３つの包囲アームの中の１つの包囲アームが移動すると、残りの包囲アームは前記歯車セットとの連動によって同時に移動する。前記制動部材は、一部が前記ベース内に制限され、短距離移動が可能であり、突起山部を有する。前記制動部材が移動すると、前記突起山部が前記位置決めラックに噛み合う際に、前記包囲アームは移動不可になる。
【０００５】
好ましい実施形態の１つとして、前記ベースは、台座と密封蓋とが合わせてなる中空枠体であり、内部に仕切り部材が更に設けられ、前記仕切り部材の上・下相対面にそれぞれ異なる方向の２つの前記ガイド溝が形成され、前記密封蓋の前記仕切り部材に相対する底部にも前記ガイド溝が形成され、前記台座の外壁の各前記ガイド溝に対応する位置に複数の切欠きが設けられる。このようにして、前記台座と前記仕切り部材と前記密封蓋が組み立てられた後、前記ガイド溝は外に連通したままで、複数の前記摺動部材は互いに干渉することなく異なる高さに位置する前記ガイド溝内で摺動し得る。
【０００６】
好ましい実施形態の１つとして、前記制動部材はネックを有し、前記台座は２つのガイド壁を更に有し、２つの前記ガイド壁の間の寸法は前記ネックより大きく、前記台座、前記仕切り部材、及び前記密封蓋が組み立てられた後、前記ガイド壁が前記ネックの両側に位置することで、前記制動部材は２つの前記ガイド壁の間に短距離移動可能かつ離脱不可である。
【０００７】
好ましい実施形態の１つとして、前記外周歯車の数は、前記包囲アームの数と同一である。
【０００８】
好ましい実施形態の１つとして、前記ベースは円筒状であり、前記包囲部材は円弧状であり、複数の前記包囲部材は前記ベースの周囲に点在する。
【０００９】
好ましい実施形態の１つとして、サポートスタンドに取付可能なカップホルダーであって、前記サポートスタンドは、カップホルダーユニットと、ベースユニットと、回転ユニットと、複数の拡張ユニットとを有し、前記カップホルダーユニットは、前記ベースと、前記歯車セットと、前記少なくとも３つの包囲アームと、前記制動部材とからなる構造であり、前記ベースユニットの延在部材にピン連結され、使用の際に回動により異なる方向へ調整可能であり、前記ベースユニットは、外壁に複数の貫通孔が周設され、前記回転ユニットは、前記ベースユニットに取り付けられ、回動可能かつ離脱不可であり、複数の前記拡張ユニットは、対応位置の前記貫通孔を介して前記ベースユニット内に取り付けられ、前記回転ユニットは回動する際に前記拡張ユニットと連動し、複数の拡張ユニットは対応の前記貫通孔を介して外側へ突出する。
【考案の効果】
【００１０】
本考案に係る伸縮式カップホルダーは、収納サイズが可変であり、使いやすいという効果を奏する。
【図面の簡単な説明】
【００１１】
【図１】本考案に係る伸縮式カップホルダーを有するサポートスタンドの構造を示す図である。
【図２】本考案に係る伸縮式カップホルダーを有するサポートスタンドの使用模式図である。
【図３】本考案に係る伸縮式カップホルダーの構造を示す図である。
【図４】本考案に係る伸縮式カップホルダーの分解図である。
【図５】本考案に係る伸縮式カップホルダーの一部の構造を示す図である。
【図６】本考案に係る伸縮式カップホルダーの制動部材の動作の断面模式図である。
【図７】本考案に係る伸縮式カップホルダーの複数の包囲アームの動作を示す図である。
【考案を実施するための形態】
【００１２】
以下、具体的な実施例と図面を参照しながら、本考案について説明する。
【００１３】
図１は、本考案に係る伸縮式カップホルダーを有するサポートスタンドの構造を示す図である。図２は、本考案に係る伸縮式カップホルダーを有するサポートスタンドの使用模式図である。図１及び２に示すように、本考案に係る伸縮式カップホルダーのサポートスタンドは、カップホルダーユニット１と、ベースユニット２と、回転ユニット３と、複数の拡張ユニット４とを有する。
【００１４】
図２に示すように、前記カップホルダーユニット１は、前記ベースユニット２の延在部材２１にピン連結され、使用の際に回動により異なる方向へ調整可能であり、この調整によって異なるサイズの複数の容器の載置に用いられる。前記ベースユニット２は、外壁に複数の貫通孔２２が周設される。前記回転ユニット３は、前記ベースユニット２に取り付けられ、回動可能かつ離脱不可である。複数の前記拡張ユニット４は、対応位置の前記貫通孔２２を介して前記ベースユニット２内に取り付けられる。前記回転ユニット３は回動する際に前記拡張ユニット４と連動し、複数の拡張ユニット４は対応の前記貫通孔２２を介して直線的に移動しつつ外側へ突出する。
【００１５】
実際に使用の際には、前記ベースユニット２が車内のカップホルダー構造５内に載置され、前記拡張ユニット４が外側へ移動しつつカップホルダー構造５の内壁に密着することにより、固定の目的を達成することができる。本実施例において、前記回転ユニット３は、上半部が上に向かって開口する容器であるが、これに限定されず、別の形として他の用途に用いられてもよい。なお、本実施例において、前記ベースユニット２と前記回転ユニット３と前記拡張ユニット４による連動は、数多くの使用形態の１つにすぎず、これに限定されず、メーカーの要望に応じて様々な形態とされてもよい。
【００１６】
図１及び２に示すように、本考案は、カップホルダーユニット１の構造が伸縮式であるため、載置の容積が可変であることを重要な点とする。図３及び４を併せて参照されたい。前記カップホルダーユニット１は、ベース１１と、歯車セット１２と、少なくとも３つの包囲アーム１３と、制動部材１４とを有する。前記包囲アーム１３は、互いに連結する摺動部材１３１及び包囲部材１３２を有し、複数の前記摺動部材１３１が前記ベース１１内に差し込むとともに前記歯車セット１２との噛み合いにより同時に移動可能である。複数の前記包囲部材１３２は、前記ベース１１の周囲を包囲して立設される。複数の包囲部材１３２により、載置用の領域が形成される。前記制動部材１４は、前記ベース１１に取り付けられ、また、押し付けれることにより、複数の前記摺動部材１３１の中の１つの摺動部材１３１に接触して制動され、複数の包囲部材１３２が囲んでなる領域を固定する。このようにして、選択可能な複数の収納サイズを提供する。
【００１７】
次に、本考案の各部材の構造について詳しく説明する。
【００１８】
前記ベース１１は、上部がカップや容器の載置用の載置面１１１である。前記ベース１１内には、異なる高さに位置する複数のガイド溝１１２が設けられる。各前記ガイド溝１１２は、外に連通し、内部に、対応の前記摺動部材１３１が摺動可能に設けられる。本実施例において、前記ガイド溝１１２の数は３つであり、異なる高さの箇所に等間隔に点在している。前記ベース１１は、円筒状であり、内部の最底部領域が前記歯車セット１２の設置のための箇所である。前記歯車セット１２の上方の領域には、複数の前記ガイド溝１１２が形成される。ベース１１の構造は、異なる方式で構成可能である。本考案では、その中の１つの方式のみについて説明する。
【００１９】
本実施例において、前記ベース１１は、台座１１３と密封蓋１１４とが合わせてなる中空枠体であり、内部に仕切り部材１１５が更に設けられる。前記仕切り部材１１５の上・下相対面には、それぞれ異なる方向の２つの前記ガイド溝１１２が形成され、前記密封蓋１１４の前記仕切り部材１１５に相対する底部にも前記ガイド溝１１２が形成される。前記台座１１３の環状外壁の各前記ガイド１１２溝に対応する位置には、複数の切欠き１１３１が設けられる。このようにして、前記台座１１３と前記仕切り部材１１５と前記密封蓋１１４が組み立てられた後、前記ガイド溝１１２は外に連通したままであることから、複数の前記摺動部材１３１は、互いに干渉することなく異なる高さに位置する前記ガイド溝１１２内で摺動し、その摺動距離が最大となる。それにより、本考案の複数の包囲部材１３２が囲んでなる範囲は最大となる。
【００２０】
前記歯車セット１２は、中央歯車１２１及び少なくとも３つの外周歯車１２２を有し、複数の前記外周歯車１２２が前記中央歯車１２１の周囲に噛み合い、各前記外周歯車１２２から更に作動歯車１２３が上に向かって突出する。図５に示すように、前記歯車セット１２は前記台座１１３内に取り付けられ、前記少なくとも３つの外周歯車１２２の中の１つの外周歯車１２２が回動すると、中央歯車１２１との連動により、残りの外周歯車１２２は同時に回動する。各作動歯車１２３は、対応の前記摺動部材１３１を移動させるためのものである。
【００２１】
前記包囲アーム１３は、互いに連結する前記摺動部材１３１及び前記包囲部材１３２を有する。前記摺動部材１３１は、対応の前記ガイド溝１１２内で移動し、複数の前記包囲部材１３２は、前記ベース１１の周囲を包囲して立設され、かつ円弧状である。なお、各前記摺動部材１３１には溝１３３があり、前記溝１３３の垂直壁には作動ラック１３４があり、各前記外周歯車１２２の位置は１つの前記摺動部材１３１に対応し、前記作動歯車１２３は対応の前記作動ラック１３４に噛み合う。このようにして、前記少なくとも３つの包囲アーム１３の中の１つの包囲アーム１３が移動すると、残りの包囲アーム１３は前記歯車セット１２との連動により同時に移動する。また、前記少なくとも３つの包囲アーム１３の中の１つの包囲アーム１３の前記摺動部材１３１の垂直外壁には更に位置決めラック１３５がある。
【００２２】
前記制動部材１４は、前記ベース１１に取り付けられ、短距離移動が可能である。具体的には、前記制動部材１４は、一部が前記台座１３内に制限されるため、押された際に台座１３の外壁に沿って短距離移動可能である。図４、図５、及び図６に示すように、前記制動部材１４はネック１４１を有し、前記台座１３は２つのガイド壁１１３２を更に有し、２つのガイド壁１１３２の間の寸法は前記ネック１４１より大きい。前記台座１１３と前記仕切り部材１１５と前記密封蓋１１４が組み立てられた後、前記ガイド壁１１３２が前記ネック１４１の両側に位置することで、前記制動部材１４は２つの前記ガイド壁１１３２の間に短距離移動可能かつ離脱不可である。
【００２３】
なお、前記制動部材１４は、高く位置するとともに前記外周歯車１２２に接触しない。図６を併せて参照されたい。前記制動部材１４は、複数の前記摺動部材１３１の中の１つ摺動部材１３１の移動を阻止するための突起山部１４２を更に有することから、固定の目的を達成することができる。前記制動部材１４が押されて前記突起山部１４２が前記位置決めラック１３５に接触すると、複数の前記摺動部材１３１の中の１つ摺動部材１３１は移動不可になる。その際、前記歯車セット１２の噛み合いにより、全ての前記包囲アーム１３も移動不可になり、調整後の位置を固定する目的を達成することができる。
【００２４】
上記のとおり、本考案の伸縮式カップホルダーは、前記カップホルダーユニット１に伸縮移動可能な前記包囲アーム１３が設けられることで、図１、図２、及び図７に示すように、収納サイズが調整可能の目的を達成することができ、また、実際の使用ニーズに応じて、前記制動部材１４によって前記包囲アーム１３を適宜に固定する。このようにして、本考案は、伸縮式カップホルダーを有するサポートスタンドに用いられる場合、車内の前記カップホルダー構造５に固定可能であることから、収納サイズが可変である伸縮式カップホルダーを提供可能で、使用者のニーズに応える。そのため、実用新案登録の要件を満たす。
【００２５】
しかしながら、上記の実施例は、本考案の効果を例示的に説明するものにすぎず、本考案を制限するものではないため、当業者は、本考案の精神及び範囲から逸脱しない限り、上記の実施例に対して改良や変更を行うことができる。また、上記の実施例における部品の数は例示的に説明するものにすぎず、同様に本考案を制限するものではない。したがって、本考案の登録請求の範囲は別紙の登録請求の範囲のとおりである。
【符号の説明】
【００２６】
１  カップホルダーユニット
１１  ベース
１１１  載置面
１１２  ガイド溝
１１３  台座
１１３１  切欠き
１１３２  ガイド壁
１１４  密封蓋
１１５  仕切り部材
１２  歯車セット
１２１  中央歯車
１２２  外周歯車
１２３  作動歯車
１３  包囲アーム
１３１  摺動部材
１３２  包囲部材
１３３  溝
１３４  作動ラック
１３５  位置決めラック
１４  制動部材
１４１  ネック
１４２  突起山部
２  ベースユニット
２１  延在部材
２２  貫通孔
３  回転ユニット
４  拡張ユニット
５  カップホルダー構造
【図１】
0003233865.tif 000003
【図２】
0003233865.tif 000004
【図３】
0003233865.tif 000005
【図４】
0003233865.tif 000006
【図５】
0003233865.tif 000007
【図６】
0003233865.tif 000008
【図７】
0003233865.tif 000009